(57)【要約】  レセプタクルに対して回転することができる同軸コネクタ及び接続部を提供することである。  ハウジングと、ハウジングに取り付けられ、かつ、同軸ケーブルの先端が載置されるブッシングと、ブッシングに取り付けられ、かつ、ブッシングによりハウジングと絶縁されているソケットと、を備えており、ハウジングは、第１の円筒部と、ブッシングを保持しているかしめ部と、を含み、ブッシングは、かしめ部からの力により、絶縁膜に圧接し、ソケットは、第１の円筒部に囲まれている接触部と、ブッシングからの力により絶縁膜に圧接する取り付け部であって、絶縁膜を破壊して第２の中心導体と接続されている取り付け部と、を含んでおり、第１の円筒部の中心からかしめ部までの最短距離は、外部導体の中心からレセプタクルの外縁までの最長距離よりも長いこと、を特徴とする同軸コネクタ。
2015025571.tif 000002
【特許請求の範囲】
【請求項１】
絶縁膜を介して互いに絶縁されている外導体及び第２の中心導体を有する同軸ケーブルの先端に取り付けられ、かつ、第１の中心導体及び該第１の中心導体の周囲に設けられている円筒状の外部導体を有するレセプタクルに着脱可能な同軸コネクタにおいて、
ハウジングと、
前記ハウジングに取り付けられ、かつ、前記同軸ケーブルの先端が載置されるブッシングと、
前記ブッシングに取り付けられ、かつ、該ブッシングにより前記ハウジングと絶縁されているソケットと、
を備えており、
前記ハウジングは、
第１の円筒部と、
前記ブッシングを保持しているかしめ部と、
を含み、
前記ブッシングは、前記かしめ部からの力により、前記絶縁膜に圧接し、
前記ソケットは、
前記第１の円筒部に囲まれている接触部と、
前記ブッシングからの力により前記絶縁膜に圧接する取り付け部であって、該絶縁膜を破壊して前記第２の中心導体と接続されている取り付け部と、
を含んでおり、
前記第１の円筒部は前記外部導体に嵌合され、前記接触部は前記第１の中心導体と接続され、
前記第１の円筒部の中心軸方向から平面視したときにおける該第１の円筒部の中心から前記かしめ部までの最短距離は、前記外部導体の中心軸方向から平面視したときにおける該外部導体の中心から前記レセプタクルの外縁までの最長距離よりも長いこと、
を特徴とする同軸コネクタ。
【請求項２】
前記第１の円筒部は、前記外部導体が挿入される第１の開口及び第２の開口を有しており、
前記ハウジングは、
前記第２の開口を覆っている背面部を、
更に含んでおり、
前記かしめ部は、前記背面部に接続されていると共に、前記ブッシングに巻きつけられることにより、該ブッシングを前記ハウジングに固定していること、
を特徴とする請求項１に記載の同軸コネクタ。
【請求項３】
前記かしめ部は、帯状の金属片であり、
前記かしめ部の両端は、前記第１の円筒部の中心軸方向から平面視したときに、前記同軸ケーブル上に位置しており、
前記かしめ部における前記第１の円筒部に近い方の辺は、該かしめ部の両端に近づくにしたがって、前記第１の円筒部から遠ざかっていること、
を特徴とする請求項２に記載の同軸コネクタ。
【請求項４】
前記同軸ケーブルの先端において前記外導体が除去されており、
前記ブッシングは、
前記同軸ケーブルの先端が収納される収納空間であって、前記第２の開口から前記第１の開口に向かう方向の面が開口している収納空間を形成する収容部を、
含んでおり、
前記収納空間は、前記第１の円筒部の中心軸方向から平面視したときに、前記かしめ部から前記第１の円筒部に向かってはみ出していること、
を特徴とする請求項３に記載の同軸コネクタ。
【請求項５】
前記ブッシングは、
前記第１の円筒部の中心軸方向から平面視したときに、該第１の円筒部に囲まれている第２の円筒部を、
含んでおり、
前記第２の円筒部は、前記第１の円筒部の中心軸方向から平面視したときに、前記接触部を囲んでおり、
前記接触部の前記背面部からの高さは、前記第２の円筒部の該背面部からの高さよりも高いこと、
を特徴とする請求項２ないし請求項４のいずれかに記載の同軸コネクタ。
【請求項６】
請求項１ないし請求項５のいずれかに記載の同軸コネクタと、
前記同軸コネクタが装着される前記レセプタクルと、
を備えていること、
を特徴とする接続部。
【発明の詳細な説明】
【技術分野】
【０００１】
本発明は、同軸コネクタ及び接続部に関し、より特定的には、同軸ケーブルの先端に設けられる同軸コネクタ及び接続部に関する。
【背景技術】
【０００２】
従来の同軸コネクタに関する発明としては、例えば、特許文献１に記載のＬ型同軸コネクタが知られている。該同軸コネクタは、レセプタクルコネクタに接続され、筒状接触部、係合手段及び中心コンタクトを備えている。筒状接触部は、円筒形をなしており、レセプタクルコネクタの筒状端子に嵌合する。中心コンタクトは、筒状接触部の中心に設けられており、レセプタクルコネクタの中心端子と接触する。係合手段は、筒状接触部の側方に設けられており、同軸ケーブルを保持している。【０００３】
以上のような構成を有するＬ型同軸コネクタは、以下に説明するように、レセプタクルコネクタに対して回転させることができないという問題を有する。例えば、Ｌ型同軸コネクタとレセプクタクルコネクタとを接続した後に、Ｌ型同軸コネクタに接続された同軸ケーブルの位置を変えるために、Ｌ型同軸コネクタをレセプタクルコネクタに対して回転させたい場合がある。筒状接触部及び筒状端子は円筒形をなしているので、筒状接触部は筒状端子に対して回転することができる。ただし、筒状接触部の側方には、係合手段が設けられている。そのため、Ｌ型同軸コネクタがレセプタクルコネクタに対して回転させられると、係合手段がレセプタクルコネクタに引っかかってしまうおそれがある。以上の理由により、特許文献１に記載のＬ型同軸コネクタでは、レセプタクルコネクタに対して回転させることができない。
【先行技術文献】
【特許文献】
【０００４】
【特許文献１】特開２０１２−１０９０４６号公報
【発明の概要】
【発明が解決しようとする課題】
【０００５】
そこで、本発明の目的は、レセプタクルに対して回転することができる同軸コネクタ及び接続部を提供することである。
【課題を解決するための手段】
【０００６】
本発明の一形態に係る同軸コネクタは、絶縁膜を介して互いに絶縁されている外導体及び第２の中心導体を有する同軸ケーブルの先端に取り付けられ、かつ、第１の中心導体及び該第１の中心導体の周囲に設けられている円筒状の外部導体を有するレセプタクルに着脱可能な同軸コネクタにおいて、ハウジングと、前記ハウジングに取り付けられ、かつ、前記同軸ケーブルの先端が載置されるブッシングと、前記ブッシングに取り付けられ、かつ、該ブッシングにより前記ハウジングと絶縁されているソケットと、を備えており、前記ハウジングは、第１の円筒部と、前記ブッシングを保持しているかしめ部と、を含み、前記ブッシングは、前記かしめ部からの力により、前記絶縁膜に圧接し、前記ソケットは、前記第１の円筒部に囲まれている接触部と、前記ブッシングからの力により前記絶縁膜に圧接する取り付け部であって、該絶縁膜を破壊して前記第２の中心導体と接続されている取り付け部と、を含んでおり、前記第１の円筒部は前記外部導体に嵌合され、前記接触部は前記第１の中心導体と接続され、前記第１の円筒部の中心軸方向から平面視したときにおける該第１の円筒部の中心から前記かしめ部までの最短距離は、前記外部導体の中心軸方向から平面視したときにおける該外部導体の中心から前記レセプタクルの外縁までの最長距離よりも長いこと、を特徴とする。【０００７】
本発明の一形態に係る接続部は、前記同軸コネクタと、前記同軸コネクタが装着される前記レセプタクルと、を備えていること、を特徴とする。
【発明の効果】
【０００８】
本発明によれば、同軸コネクタをレセプタクルに対して回転させることができる。
【図面の簡単な説明】
【０００９】
【図１】本発明の一実施形態に係る同軸コネクタの外観斜視図である。
【図２】同軸コネクタの分解斜視図である。
【図３Ａ】同軸コネクタ及びレセプタクルの断面構造図である。
【図３Ｂ】同軸コネクタ及びレセプタクルの断面構造図である。
【図４】同軸コネクタのハウジングの組立て途中における斜視図である。
【図５】ブッシングにソケットが取り付けられたときの斜視図である。
【図６】同軸コネクタを回転させた様子を示した図である。
【図７】同軸コネクタを回転させた様子を示した図である。
【図８】同軸コネクタを回転させた様子を示した図である。
【図９】同軸コネクタを回転させた様子を示した図である。
【発明を実施するための形態】
【００１０】
以下に、本発明の一実施形態に係る同軸コネクタ及び接続部について、図面を参照して説明する。
【００１１】
（同軸コネクタの構成）
図１は、本発明の一実施形態に係る同軸コネクタ１０の外観斜視図である。図２は、同軸コネクタ１０の分解斜視図である。図３Ａ及び図３Ｂは、同軸コネクタ１０及びレセプタクル２３０の断面構造図である。図４は、同軸コネクタ１０のハウジング１２の組立て途中における斜視図である。図５は、ブッシング１４にソケット１６が取り付けられたときの斜視図である。図１ないし図５（特に、図２参照）において、ハウジング１２、ブッシング１４及びソケット１６が重ねられる方向をｚ軸方向とする。ｚ軸方向の正方向は、ハウジング１２からソケット１６へと向かう方向である。また、同軸ケーブル２２０が延在している方向をｘ軸方向とし、ｘ軸方向とｚ軸方向に直交する方向をｙ軸方向とする。ｘ軸方向の正方向は、同軸ケーブル２２０からソケット１６へと向かう方向である。ｘ軸方向は、ｚ軸方向に直交している。
【００１２】
同軸コネクタ１０は、図１及び図２に示すように、ハウジング１２、ブッシング１４及びソケット１６により構成されている。同軸コネクタ１０は、図３Ａ及び図３Ｂに示すように、外部導体２３２、中心導体２３４及び本体２３６を備えているレセプタクル２３０に対して、着脱可能である。
【００１３】
同軸ケーブル２２０は、図２に示すように、絶縁被膜２２１、外部導体２２２、絶縁体２２３及び中心導体２２４により構成されている。絶縁体２２３は、中心導体２２４の周囲に設けられており、発泡構造又は中空構造を有する。したがって、絶縁体２２３は、低い反発力しか有しておらず、比較的容易に変形する。外部導体２２２は、絶縁体２２３の周囲に設けられている。絶縁被膜２２１は、外部導体２２２の周囲に設けられている。また、同軸ケーブル２２０の先端において絶縁被膜２２１が除去されて外部導体２２２が露出している。更に、同軸ケーブル２２０の先端において外部導体２２２が除去されて絶縁体２２３が露出している。
【００１４】
ハウジング１２は、１枚の金属板（例えば、ばね用りん青銅）により作製され、図２及び図４に示すように、円筒部２０、背面部２１、保持部２３及び固定部２４を含んでいる。
【００１５】
円筒部２０は、ｚ軸方向に延在する中心軸を有しており、図４に示すように、ｚ軸方向の正方向側に位置する開口Ｏ１及びｚ軸方向の負方向側に位置する開口Ｏ２を有している。ただし、円筒部２０は、一部（ｘ軸方向の負方向側の部分）が切り欠かれている。以下では、開口Ｏ１から開口Ｏ２に向かう方向をｚ軸方向の負方向ともいう。同様に、開口Ｏ２から開口Ｏ１に向かう方向をｚ軸方向の正方向ともいう。
【００１６】
背面部２１は、円筒部２０に接続されており、図４の状態から９０度だけ折り曲げられて、図２に示すように、円筒部２０の開口Ｏ２を覆う板状部材である。背面部２１上には、ブッシング１４が載置される。
【００１７】
２つの固定部２４は、円筒部２０に接続され、図２に示すように、ブッシング１４をｙ軸方向の両側から挟んでいる。固定部２４は、図４に示すように、ｚ軸方向の正方向側から開口Ｏ１を平面視したときに、円筒部２０の端部のそれぞれに設けられている。より詳細には、２つの固定部２４は、円筒部２０が切り欠かれることにより形成される２つの端部からｘ軸方向の負方向側へと延在し、互いに対向している板状部材である。
【００１８】
また、２つの固定部２４にはそれぞれ、湾曲部３３が設けられている。湾曲部３３は、図２及び図４に示すように、２つの固定部２４の間隔が広がるように各固定部２４の一部がｙ軸方向の正方向側又は負方向側に湾曲させられることにより形成されている。
【００１９】
保持部２３は、図１及び図２に示すように、円筒部２０から同軸ケーブル２２０に沿って設けられており、具体的には、背面部２１のｘ軸方向の負方向側に接続されている。保持部２３は、図４に示すように、かしめ部２６，２８，３０を有している。
【００２０】
かしめ部２６は、同軸コネクタ１０の組立て前の状態において、図２に示すように、背面部２１のｘ軸方向の負方向側に接続されているＵ字状の帯状部材である。かしめ部２６は、図１に示すように曲げられることにより、ブッシング１４、固定部２４及び絶縁体２２３の周囲に巻き付けられて、これらを保持する。これにより、かしめ部２６は、ブッシング１４、固定部２４及び絶縁体２２３に圧接する。この際、固定部２４は、かしめ部２６に押されてブッシング１４に圧接する。よって、固定部２４及びかしめ部２６は、ブッシング１４を保持している。以上より、かしめ部２６は、ブッシング１４、ソケット１６及び同軸ケーブル２２０をハウジング１２に固定する役割を果たす。
【００２１】
ここで、かしめ部２６の両端は、円筒部２０の中心軸方向（ｚ軸方向）から平面視したときに、同軸ケーブル２２０上に位置している。また、かしめ部２６における円筒部２０に近い方の辺は、かしめ部２６の両端に近づくにしたがって、円筒部２０から遠ざかっている。これにより、図１の部分Ａに示すように、かしめ部２６における円筒部２０に近い方の辺の両端近傍は、ｚ軸方向から平面視したときに、Ｖ字型をなすように、ｘ軸方向の負方向側に窪んでいる。
【００２２】
かしめ部２８は、同軸コネクタ１０の組立て前の状態において、図４に示すように、かしめ部２６のｘ軸方向の負方向側に設けられているＵ字状の帯状部材である。かしめ部２８は、図１に示すように曲げられることにより、外部導体２２２の周囲に巻き付けられて、同軸ケーブル２２０の外部導体２２２を保持する。これにより、かしめ部２８は、同軸ケーブル２２０をハウジング１２に固定する役割、及び、外部導体２２２とハウジング１２とを電気的に接続する役割を果たす。
【００２３】
かしめ部３０は、同軸コネクタ１０の組立て前の状態において、図４に示すように、かしめ部２８のｘ軸方向の負方向側に設けられているＵ字状の帯状部材である。かしめ部３０は、図１に示すように曲げられることにより、絶縁被膜２２１の周囲に巻き付けられて、同軸ケーブル２２０の絶縁被膜２２１を保持する。これにより、かしめ部３０は、同軸ケーブル２２０をハウジング１２に固定する役割を果たす。
【００２４】
ブッシング１４は、樹脂（例えば、液晶ポリマー）からなる絶縁体により構成されており、ハウジング１２とソケット１６とを絶縁する役割を果たしている。ブッシング１４は、ハウジング１２に取り付けられており、図２に示すように、円形部３６及び収納部３８により構成されている。
【００２５】
円形部３６は、ソケット１６を保持する役割を果たし、図２に示すように、背面部３９及び円筒部４１により構成されている。背面部３９は、ｚ軸方向から平面視したときに、円形をなす板状部材であり、ブッシング１４がハウジング１２に取り付けられた際に、図１に示すように、円筒部２０内に収まっている部分である。
【００２６】
円筒部４１は、図２に示すように、背面部３９のｚ軸方向の正方向側の面上に設けられており、ｚ軸方向に延在する中心軸を有している。円筒部４１の中心軸と円筒部２０の中心軸とは略一致している。これにより、円筒部４１は、ｚ軸方向の正方向側から平面視したときに、円筒部２０に囲まれている。
【００２７】
収納部３８は、ソケット１６及び同軸ケーブル２２０の先端を保持する役割を果たし、図２に示すように、背面部４２、側面部４５及び押さえ部４６及び蓋部４７により構成されている。背面部４２は、円形部３６の背面部３９からｘ軸方向の負方向側に向かって延在している長方形状の板状部材である。該背面部４２上には、図２に示すように、ソケット１６が載置される。
【００２８】
押さえ部４６は、ｘ軸方向に垂直な板状部材であり、背面部４２上に設けられている。ただし、押さえ部４６のｚ軸方向の負方向側の端部と背面部４２のｚ軸方向の正方向側の面との間には隙間Ｓｐが設けられている。同様に、円筒部４１と背面部４２のｚ軸方向の正方向側の面との間にも隙間Ｓｐが設けられている。これにより、押さえ部４６のｘ軸方向の負方向側の空間（収納空間Ｓ）と円筒部４１内とが隙間Ｓｐを介して連通している。
【００２９】
２つの側面部４５は、ｙ軸方向に垂直な板状部材であり、背面部４２上に互いに対向するように設けられている。一方の側面部４５は、背面部４２のｙ軸方向の負方向側の辺に沿ってｘ軸方向に延在しており、他方の側面部４５は、背面部４２のｙ軸方向の正方向側の辺に沿ってｘ軸方向に延在している。また、２つの背面部４２のｘ軸方向の正方向側の端部は、押さえ部４６のｙ軸方向の両端と接合されている。これにより、収納部３８には、ｚ軸方向の正方向側の面及びｘ軸方向の負方向側の面が開口した収納空間Ｓが形成されている。収納空間Ｓには、同軸ケーブル２２０の先端が収納される。
【００３０】
２つの蓋部４７は、矩形状の板状部材であり、各側面部４５に対してｚ軸方向の正方向側に接続されている。また、ｙ軸方向の負方向側の蓋部４７は、ｙ軸方向の正方向側に倒れることができ、ｙ軸方向の正方向側の蓋部４７は、ｙ軸方向の負方向側に倒れることができる。これにより、蓋部４７は、収納空間Ｓのｚ軸方向の正方向側の面の一部を覆うことができる。ただし、蓋部４７が倒れた状態においても、収納空間Ｓのｚ軸方向の正方向側の面におけるｘ軸方向の正方向側の半分は開口している。
【００３１】
また、ブッシング１４は、図２に示すように、２つに分離可能である。具体的には、ブッシング１４は、ｙ軸方向の正方向側の半分とｙ軸方向の負方向側の半分にＶ字型に分かれる。これにより、後述するソケット１６がブッシング１４に取り付けられることが可能である。
【００３２】
ソケット１６は、１枚の金属板（例えば、ばね用りん青銅）により作製され、図１及び図２に示すように、ブッシング１４に取り付けられ、該ブッシング１４によりハウジング１２と絶縁されている。該ソケット１６は、図２に示すように、円筒部４８、背面部５０及び取り付け部５２により構成されている。
【００３３】
円筒部４８は、図２に示すように、背面部５０のｘ軸方向の正方向側に接続されており、ｚ軸方向から平面視したときに、円環の一部が切り欠かれた形状を有している。また、円筒部４８は、ｚ軸方向に延在する中心軸を有している。円筒部４８の中心軸は、円筒部２０，４１の中心軸と略一致している。円筒部４８の半径は、ブッシング１４の円筒部４１の半径よりも小さい。よって、円筒部４８は、同軸コネクタ１０が組立てられた際に、図１に示すように、ｚ軸方向の正方向側から平面視したときに、円筒部２０及び円筒部４１に囲まれている。更に、円筒部４８は、円筒部２０の中心軸が延在する方向（ｚ軸方向）から平面視したときに円筒部２０の中心に位置している。
【００３４】
また、円筒部４８の背面部２１からの高さは、図５に示すように、円筒部４１の背面部２１からの高さよりも高い。これにより、円筒部４８は、円筒部４１からｚ軸方向の正方向側に突出している。
【００３５】
背面部５０は、円筒部４１から隙間Ｓｐを通過するように、ｘ軸方向の負方向側に延在している板状部材である。取り付け部５２は、背面部５０のｘ軸方向の負方向側の端部において、ｚ軸方向の正方向側に垂直に折り曲げられることにより設けられており、同軸ケーブル２２０の中心導体２２４と接続される。より詳細には、取り付け部５２は、所定の隙間を介して並ぶ２枚の切断用片５２ａ，５２ｂにより構成されている。そして、中心導体２２４が切断用片５２ａ，５２ｂの間の所定の隙間に挟まれるように、同軸ケーブル２２０をセットする。そして、かしめ部２６がかしめられることにより、蓋部４７がかしめ部２６からの力により同軸ケーブル２２０の絶縁体２２３に圧接する。これにより、同軸ケーブル２２０は、ｚ軸方向の正方向側から負方向側へと、蓋部４７からの力により切断用片５２ａ，５２ｂに押さえつけられる。切断用片５２ａ，５２ｂは、蓋部４７からの力により同軸ケーブル２２０の絶縁体２２３に圧接する。そして、切断用片５２ａ，５２ｂは、同軸ケーブル２２０の絶縁体２２３の一部を切断（破壊）して、中心導体２２４と接続される。
【００３６】
ここで、かしめ部２６がかしめられた状態では、図１に示すように、収納空間Ｓは、ｚ軸方向の正方向側から平面視したときに、かしめ部２６から円筒部２０に向かってはみ出している。これにより、収納空間Ｓのｚ軸方向の正方向側の面の開口を介して、同軸ケーブル２２０の先端を観察することができる。
【００３７】
以上のように構成された同軸コネクタ１０は、以下に説明する手順により組立てられる。
【００３８】
まず、図５に示すように、ブッシング１４に対してソケット１６を取り付ける。より詳細には、円筒部４１内に円筒部４８が収まると共に、背面部５０が隙間Ｓｐに収まるように、ブッシング１４によりソケット１６をｙ軸方向の両側から挟み込む。
【００３９】
次に、図２に示すように、ハウジング１２に対してブッシング１４を取り付ける。より詳細には、円筒部２０内に円形部３６が収まると共に、固定部２４間に収納部３８が収まるように、ｚ軸方向の正方向側からブッシング１４をハウジング１２に対して押し込むようにして取り付ける。
【００４０】
次に、図２に示すように、同軸ケーブル２２０の先端が取り付け部５２上に位置するように、該同軸ケーブル２２０の先端を収納部３８に載置する。この際、同軸ケーブル２２０は、先端において、外部導体２２２及び絶縁体２２３が露出するように加工されている。ただし、中心導体２２４は、露出していない。絶縁体２２３が取り付け部５２上に位置し、外部導体２２２がかしめ部２８間に位置し、絶縁被膜２２１がかしめ部３０間に位置するように、同軸ケーブル２２０をソケット１６に載置する。
【００４１】
同軸ケーブル２２０を載置すると、かしめ部２６，２８，３０のかしめ工程を行う。かしめ部２６のかしめ工程では、かしめ部２６を折り曲げることにより、蓋部４７を絶縁体２２３に押し付ける。これにより、絶縁体２２３が切断用片５２ａ，５２ｂに押し付けられる。この際、絶縁体２２３の一部が切断用片５２ａ，５２ｂにより切断され、切断用片５２ａ，５２ｂと中心導体２２４とが接続される。
【００４２】
また、かしめ部２８のかしめ工程では、かしめ部２８を折り曲げることにより、かしめ部２８を外部導体２２２に巻き付ける。同様に、かしめ部３０のかしめ工程では、かしめ部３０を折り曲げることにより、かしめ部３０を絶縁被膜２２１に巻き付ける。以上の工程を経て、同軸コネクタ１０は、図１に示すような構成を有するようになる。
【００４３】
次に、接続部１００について説明する。接続部１００は、図３Ｂに示すように、同軸コネクタ１０及びレセプタクル２３０を備えている。
【００４４】
レセプタクル２３０には、同軸コネクタ１０が装着される。レセプタクル２３０は、図３Ａに示すように、外部導体２３２、中心導体２３４及び本体２３６により構成されている。本体２３６は、ｚ軸方向から平面視したときに、矩形状の板状をなしている。外部導体２３２は、円筒形状の電極であり、本体２３６からｚ軸方向の負方向側に向かって突出している。中心導体２３４は、外部導体２３２の中心において本体２３６からｚ軸方向の負方向側に向かって突出している電極である。
【００４５】
前記同軸コネクタ１０をレセプタクル２３０に装着する際には、図３Ａ及び図３Ｂに示すように、外部導体２３２を開口Ｏ１から円筒部２０に挿入する。これにより、円筒部２０の内周面と外部導体２３２の外周面とが接触し、同軸ケーブル２２０の外部導体２２２とレセプタクル２３０の外部導体２３２とがハウジング１２を介して電気的に接続されるようになる。この際、円筒部２０は、外部導体２３２により押し広げられる。これにより、円筒部２０の内周面が、外部導体２３２の外周面に圧接するようになり、同軸コネクタ１０がレセプタクル２３０から容易に外れることが防止されている。
【００４６】
また、外部導体２３２が円筒部２０に挿入されると同時に、図３Ａ及び図３Ｂに示すように、中心導体２３４がソケット１６の円筒部４８に挿入される。これにより、中心導体２３４の外周面と円筒部４８の内周面とが接触し、同軸ケーブル２２０の中心導体２２４とレセプタクル２３０の中心導体２３４とがソケット１６を介して電気的に接続されるようになる。
【００４７】
ここで、同軸コネクタ１０は、レセプタクル２３０に対して回転することができる構成を有している。以下に図面を参照しながらかかる構成について説明する。図６ないし図９は、同軸コネクタ１０を回転させた様子を示した図である。
【００４８】
同軸コネクタ１０は、図６に示すように、ｚ軸方向から平面視したときにおける円筒部２０の中心からかしめ部２６までの最短距離Ｌ１は、ｚ軸方向から平面視したときにおける外部導体２３２の中心からレセプタクル２３０の本体２３６の外縁までの最長距離Ｌ２よりも長い。より詳細には、かしめ部２６は、ｚ軸方向から平面視したときに、ｙ軸方向に延在する長方形状をなしている。かしめ部２６において円筒部２０の中心に最も近接する部分は、かしめ部２６におけるｘ軸方向の正方向側の辺の中央である。本実施形態では、かしめ部２６の両端が接触している位置である。したがって、ｚ軸方向から平面視したときにおける円筒部２０の中心からかしめ部２６までの最短距離Ｌ１とは、円筒部２０の中心からかしめ部２６におけるｘ軸方向の正方向側の辺の中央までの距離である。
【００４９】
また、レセプタクル２３０の本体２３６は、ｚ軸方向から平面視したときに、矩形状をなしている。したがって、ｚ軸方向から平面視したときに、本体２３６の外縁において外部導体２３２の中心から最も離れた部分は、本体２３６の角である。したがって、ｚ軸方向から平面視したときにおける外部導体２３２の中心からレセプタクル２３０の本体２３６の外縁までの最長距離Ｌ２とは、外部導体２３２の中心から本体２３６の角までの距離である。
【００５０】
以上のように最短距離Ｌ１>最長距離Ｌ２の関係が成立していることにより、図６ないし図９に示すように、同軸コネクタ１０をレセプタクル２３０に対して回転させたときに、レセプタクル２３０の角とかしめ部２６とが接触しなくなる。その結果、同軸コネクタ１０をレセプタクル２３０に対して３６０°回転させることが可能である。
【００５１】
（効果）
以上のように構成された同軸コネクタ１０及び接続部１００によれば、前記の通り、同軸コネクタ１０をレセプタクル２３０に対して回転させることができる。
【００５２】
また、以下に説明するように、接続部１００の低背化を図ることができる。ｚ軸方向から平面視したときにおける円筒部２０の中心からかしめ部２６までの最短距離Ｌ１は、ｚ軸方向から平面視したときにおける外部導体２３２の中心からレセプタクル２３０の本体２３６の外縁までの最長距離Ｌ２よりも長い。そのため、同軸コネクタ１０のかしめ部２６は、レセプタクル２３０の本体２３６とｚ軸方向に重なっていない。よって、図３Ｂに示すように、かしめ部２６におけるｚ軸方向の最も正方向側の部分を本体２３６のｚ軸方向の負方向側の面よりもｚ軸方向の正方向側に位置させることができる。すなわち、かしめ部２６と本体２３６とはｘ軸方向に重なっている。これにより、円筒部２０のｚ軸方向の高さをかしめ部２６のｚ軸方向の高さよりも低くできる。よって、同軸コネクタ１０がレセプタクル２３０に装着された際に、同軸コネクタ１０及びレセプタクル２３０からなる接続部１００のｚ軸方向の高さを低くすることができる。
【００５３】
また、図１に示すように、収納空間Ｓは、ｚ軸方向の正方向側から平面視したときに、かしめ部２６から円筒部２０に向かってはみ出している。これにより、かしめ部２６をかしめた際に、収納空間Ｓがかしめ部２６からはみ出した部分において、余分な絶縁体２２３が収納空間Ｓからはみ出すことができる。そのため、かしめ部２６を強くかしめることが可能となる。なお、収納空間Ｓからはみ出した絶縁体２２３は、同軸コネクタ１０の回転を阻害しないように、円筒部２０よりもｚ軸方向の負方向側に位置していることが望ましい。
【００５４】
また、ソケット１６の円筒部４８は、ブッシング１４の円筒部４１よりも高い。よって、同軸コネクタ１０のレセプタクル２３０への装着において、レセプタクル２３０の中心導体２３４が円筒部４８に挿入される際に、円筒部４１が中心導体２３４と接触することが抑制される。すなわち、ブッシング１４が同軸コネクタ１０のレセプタクル２３０への装着を阻害することが抑制される。
【００５５】
また、ブッシング１４の円筒部４１がソケット１６の円筒部４８を囲んでいる。そのため、中心導体２３４が円筒部４８に挿入される際に、円筒部４８の広がりが円筒部４１により規制される。これにより、円筒部４８が広がり過ぎて、ハウジング１２の円筒部２０と接触することが抑制される。よって、同軸コネクタ１０がレセプタクル２３０に対して装着される際、及び、同軸コネクタ１０がレセプタクル２３０から外される際に、円筒部４８と円筒部２０との間でショートが発生することが抑制される。
【００５６】
また、かしめ部２６における円筒部２０に近い方の辺は、かしめ部２６の両端に近づくにしたがって、円筒部２０から遠ざかっている。これにより、図１の部分Ａに示すように、かしめ部２６における円筒部２０に近い方の辺の両端近傍は、ｚ軸方向から平面視したときに、Ｖ字型をなすように、ｘ軸方向の負方向側に窪んでいる。かしめ部２６における円筒部２０に近い方の辺の両端近傍は、前記の通り、かしめ部２６において円筒部２０の中心から最も近い部分である。これにより、かしめ部２６がレセプタクル２３０の本体２３６に接触することがより確実に防止されるようになる。
【産業上の利用可能性】
【００５７】
以上のように、本発明は、同軸コネクタ及び接続部に有用であり、特に、レセプタクルに対して回転することができる点において優れている。
【符号の説明】
【００５８】
Ｏ１，Ｏ２  開口
Ｓ 収納空間
１０  同軸コネクタ
１２  ハウジング
１４  ブッシング
１６  ソケット
２０，４１，４８  円筒部
２１，３９，４２，５０  背面部
２３  保持部
２４  固定部
２６，２８，３０  かしめ部
３６  円形部
３８  収納部
４５  側面部
４６  押さえ部
４７  蓋部
５２  取り付け部
５２ａ，５２ｂ  切断用片
１００  接続部
２２０  同軸ケーブル
２２１  絶縁被膜
２２２  外部導体
２２３  絶縁体
２２４  中心導体
２３０  レセプタクル
２３２  外部導体
２３４  中心導体
２３６  本体
【図１】
2015025571.tif 000003
【図２】
2015025571.tif 000004
【図３Ａ】
2015025571.tif 000005
【図３Ｂ】
2015025571.tif 000006
【図４】
2015025571.tif 000007
【図５】
2015025571.tif 000008
【図６】
2015025571.tif 000009
【図７】
2015025571.tif 000010
【図８】
2015025571.tif 000011
【図９】
2015025571.tif 000012
【手続補正書】
【提出日】平成28年8月29日(2016.8.29)
【手続補正１】
【補正対象書類名】特許請求の範囲
【補正対象項目名】全文
【補正方法】変更
【補正の内容】
【特許請求の範囲】
【請求項１】
絶縁膜を介して互いに絶縁されている外導体及び第２の中心導体を有する同軸ケーブルの先端に取り付けられ、かつ、第１の中心導体及び該第１の中心導体の周囲に設けられている円筒状の外部導体を有するレセプタクルに着脱可能な同軸コネクタにおいて、
ハウジングと、
前記ハウジングに取り付けられ、かつ、前記同軸ケーブルの先端が載置されるブッシングと、
前記ブッシングに取り付けられ、かつ、該ブッシングにより前記ハウジングと絶縁されているソケットと、
を備えており、
前記ハウジングは、
第１の円筒部と、
前記ブッシングを保持しているかしめ部と、
を含み、
前記ブッシングは、前記かしめ部からの力により、前記絶縁膜に圧接し、
前記ソケットは、
前記第１の円筒部に囲まれている接触部と、
前記ブッシングからの力により前記絶縁膜に圧接する取り付け部であって、該絶縁膜を破壊して前記第２の中心導体と接続されている取り付け部と、
を含んでおり、
前記第１の円筒部は前記外部導体に嵌合され、前記接触部は前記第１の中心導体と接続され、
前記第１の円筒部の中心軸方向から平面視したときにおける該第１の円筒部の中心から前記かしめ部までの最短距離は、前記外部導体の中心軸方向から平面視したときにおける該外部導体の中心から前記レセプタクルの外縁までの最長距離よりも長く、
前記中心軸方向における前記第１の円筒部と前記レセプタクルとの距離は、前記中心軸方向における前記かしめ部と前記レセプタクルとの距離よりも長いこと、
を特徴とする同軸コネクタ。
【請求項２】
前記第１の円筒部は、前記外部導体が挿入される第１の開口及び第２の開口を有しており、
前記ハウジングは、
前記第２の開口を覆っている背面部を、
更に含んでおり、
前記かしめ部は、前記背面部に接続されていると共に、前記ブッシングに巻きつけられることにより、該ブッシングを前記ハウジングに固定していること、
を特徴とする請求項１に記載の同軸コネクタ。
【請求項３】
前記かしめ部は、帯状の金属片であり、
前記かしめ部の両端は、前記第１の円筒部の中心軸方向から平面視したときに、前記同軸ケーブル上に位置しており、
前記かしめ部における前記第１の円筒部に近い方の辺は、該かしめ部の両端に近づくにしたがって、前記第１の円筒部から遠ざかっていること、
を特徴とする請求項２に記載の同軸コネクタ。
【請求項４】
前記同軸ケーブルの先端において前記外導体が除去されており、
前記ブッシングは、
前記同軸ケーブルの先端が収納される収納空間であって、前記第２の開口から前記第１の開口に向かう方向の面が開口している収納空間を形成する収容部を、
含んでおり、
前記収納空間は、前記第１の円筒部の中心軸方向から平面視したときに、前記かしめ部から前記第１の円筒部に向かってはみ出していること、
を特徴とする請求項３に記載の同軸コネクタ。
【請求項５】
前記ブッシングは、
前記第１の円筒部の中心軸方向から平面視したときに、該第１の円筒部に囲まれている第２の円筒部を、
含んでおり、
前記第２の円筒部は、前記第１の円筒部の中心軸方向から平面視したときに、前記接触部を囲んでおり、
前記接触部の前記背面部からの高さは、前記第２の円筒部の該背面部からの高さよりも高いこと、
を特徴とする請求項２ないし請求項４のいずれかに記載の同軸コネクタ。
【請求項６】
請求項１ないし請求項５のいずれかに記載の同軸コネクタと、
前記同軸コネクタが装着される前記レセプタクルと、
を備えていること、
を特徴とする接続部。
【手続補正２】
【補正対象書類名】明細書
【補正対象項目名】０００６
【補正方法】変更
【補正の内容】
【０００６】
本発明の一形態に係る同軸コネクタは、絶縁膜を介して互いに絶縁されている外導体及び第２の中心導体を有する同軸ケーブルの先端に取り付けられ、かつ、第１の中心導体及び該第１の中心導体の周囲に設けられている円筒状の外部導体を有するレセプタクルに着脱可能な同軸コネクタにおいて、ハウジングと、前記ハウジングに取り付けられ、かつ、前記同軸ケーブルの先端が載置されるブッシングと、前記ブッシングに取り付けられ、かつ、該ブッシングにより前記ハウジングと絶縁されているソケットと、を備えており、前記ハウジングは、第１の円筒部と、前記ブッシングを保持しているかしめ部と、を含み、前記ブッシングは、前記かしめ部からの力により、前記絶縁膜に圧接し、前記ソケットは、前記第１の円筒部に囲まれている接触部と、前記ブッシングからの力により前記絶縁膜に圧接する取り付け部であって、該絶縁膜を破壊して前記第２の中心導体と接続されている取り付け部と、を含んでおり、前記第１の円筒部は前記外部導体に嵌合され、前記接触部は前記第１の中心導体と接続され、前記第１の円筒部の中心軸方向から平面視したときにおける該第１の円筒部の中心から前記かしめ部までの最短距離は、前記外部導体の中心軸方向から平面視したときにおける該外部導体の中心から前記レセプタクルの外縁までの最長距離よりも長く、前記中心軸方向における前記第１の円筒部と前記レセプタクルとの距離は、前記中心軸方向における前記かしめ部と前記レセプタクルとの距離よりも長いこと、を特徴とする。
【国際調査報告】
2015025571.tif 000013
2015025571.tif 000014
2015025571.tif 000015